(57)【要約】【課題】  動画の撮影中に、印象的な部分を容易に静止画撮影することができる動画撮影可能なカメラを提供することを目的とする。【解決手段】  カメラは、被写体を撮像する撮像部４と、撮像部４からの画像情報に基づく動画撮影の開始と終了を決定する動画撮影操作部９と、撮影状況の変化に応じて静止画タイミング信号を自動的に発生する撮影状況検知部１３と、動画撮影操作部９の操作に応答して動画情報を記録させるとともに、動画情報の記録中に撮影状況検知部１３に応答して静止画情報を記録させる制御部１とを有する。【選択図】      図１
2007215086.tif 000002
【特許請求の範囲】
【請求項１】
被写体を撮像する撮像部と、前記撮像部からの画像情報に基づく動画撮影の開始と終了を決定する動画撮影操作部と、動画撮影中に静止画タイミング信号を自動的に発生するタイミング信号自動発生部と、前記動画撮影操作部の操作に応答して動画情報を記録するとともに、前記動画情報の記録中に前記タイミング信号自動発生部に応答して静止画情報を記録する記録制御部とを有することを特徴とする動画撮影可能なカメラ。
【請求項２】
手動操作によって静止画タイミング信号を発生するための静止画撮影操作部を有し、
前記記録制御部は、さらに、前記静止画撮影操作部の操作に応答して発生する静止画タイミング信号に応答して静止画情報を記録することを特徴とする請求項１に記載の動画撮影可能なカメラ。
【請求項３】
前記記録制御部は、前記タイミング信号自動発生部からの前記静止画タイミング信号および前記静止画撮影操作部の操作による前記静止画タイミング信号の一方が発生してから他方が所定時間以内に発生したとき、その一方の静止画タイミング信号を優先し、他方の静止画タイミング信号に基づく静止画情報を記録しないことを特徴とする請求項２に記載の動画撮影可能なカメラ。
【請求項４】
前記記録制御部は、前記タイミング信号自動発生部からの前記静止画タイミング信号および前記静止画撮影操作部の操作による前記静止画タイミング信号の一方が発生してから他方が所定時間以内に発生したとき、前記静止画撮影操作部の操作による静止画タイミング信号を優先し、前記タイミング信号自動発生部からの静止画タイミング信号に基づく静止画情報を記録しないことを特徴とする請求項３に記載の動画撮影可能なカメラ。
【請求項５】
前記記録制御部は、前記タイミング信号自動発生部から複数の静止画タイミング信号が所定時間以内に発生したときは、その一つを優先し、他の静止画タイミング信号に基づく静止画情報を記録しないことを特徴とする請求項１から４のいずれかに記載の動画撮影可能なカメラ。
【請求項６】
撮影中の状況変化を自動検知する検知部を有し、
前記タイミング信号自動発生部は、前記検知部の検知に基づいて前記静止画タイミング信号を自動発生することを特徴とする請求項１から５のいずれかに記載の動画撮影可能なカメラ。
【請求項７】
前記検知部は、撮影時間の経過を検知する撮影時間検知部を有することを特徴とする請求項６に記載の動画撮影可能なカメラ。
【請求項８】
前記検知部は、前記撮像部からの画像情報の変化を検知する画像検知部を有することを特徴とする請求項６に記載の動画撮影可能なカメラ。
【請求項９】
前記画像検知部は、前記撮像部からの画像を解析し、画像情報の変化を検知することを特徴とする請求項８に記載の動画撮影可能なカメラ。
【請求項１０】
前記検知部は、被写界の明るさの変化を検知する明るさ検知部を有することを特徴とする請求項６に記載の動画撮影可能なカメラ。
【請求項１１】
マイクロフォンを有し、
前記検知部は、前記マイクロフォンが拾う音信号の変化を検知する音声検知部を有することを特徴とする請求項６に記載の動画撮影可能なカメラ。
【請求項１２】
前記検知部は、撮影者の視線の変化を検知する視線検知部を有することを特徴とする請求項６に記載の動画撮影可能なカメラ。
【請求項１３】
前記検知部は、カメラを保持する撮影者の手の発汗を検知する発汗検知部を有することを特徴とする請求項６に記載の動画撮影可能なカメラ。
【請求項１４】
前記検知部は、撮影者の生体信号を検知する生体信号検知部を有することを特徴とする請求項６に記載の動画撮影可能なカメラ。
【請求項１５】
前記生体信号検知部は、撮影者の脳波を検知することを特徴とする請求項１４に記載の動画撮影可能なカメラ。
【請求項１６】
前記検知部は、パンニング操作の有無を検知するパンニング操作検知部を有することを特徴とする請求項６に記載の動画撮影可能なカメラ。
【請求項１７】
前記記録制御部は、特定の撮影条件のときに前記静止画情報を記録しないことを特徴とする請求項１に記載の動画撮影可能なカメラ。
【請求項１８】
ズームレンズを有し、
前記ズームレンズによるズーミング中は、前記静止画情報を記録しないことを特徴とする請求項１７に記載の動画撮影可能なカメラ。
【請求項１９】
自動焦点検知部を有し、
前記自動焦点検知部が合焦状態を検知しないときは、前記静止画情報を記録しないことを特徴とする請求項１７に記載の動画撮影可能なカメラ。
【請求項２０】
カメラの姿勢を検知する姿勢検知部を有し、
前記姿勢検知部が水平状態を検知しないときは、前記静止画情報を記録しないことを特徴とする請求項１７に記載の動画撮影可能なカメラ。
【請求項２１】
前記特定の撮影条件のときに、前記タイミング信号自動発生部からの前記静止画タイミング信号の発生を禁止することを特徴とする請求項１７ないし２０のいずれかに記載の動画撮影可能なカメラ。
【請求項２２】
前記特定の撮影条件のときに、前記タイミング信号自動発生部が前記静止画タイミング信号を発生しても前記静止画情報を記録しないことを特徴とする請求項１７ないし２０のいずれかに記載の動画撮影可能なカメラ。
【発明の詳細な説明】
【技術分野】
【０００１】
本発明は、動画を撮影することができる動画撮影可能なカメラに関するものである。
【背景技術】
【０００２】
従来より、静止画のみならず、動画の撮影も可能なデジタルカメラが広く知られている。こうしたカメラには、静止画と動画を別々の撮影タイミングで撮影するものの他、動画の撮影中に静止画を撮影することができるものも提案されている（例えば、特許文献１参照）。
【０００３】
特許文献１に記載されたカメラにおいては、動画の撮影中に静止画撮影用のスイッチを操作したときに、スイッチ操作のタイミングを示す識別信号を動画情報とともに記録し、静止画再生を望む場合には、識別信号に基づいて、動画情報からスイッチが操作されたときの画像を取り出して再生するように構成されている。こうしたカメラによれば、例えば、連続的に被写体を撮影して動画を記録しながら、同時に動画で撮影している被写体の静止画を記録することもでき、撮影の自由度を高めることが可能になる。
【特許文献１】特開平２−３１２３６４号公報
【発明の開示】
【発明が解決しようとする課題】
【０００４】
撮影者は、動画の鑑賞に際し、撮影した動画のすべてを観賞する場合のみならず、印象の強かった部分のみを抽出して観賞したい場合がある。このような場合、特許文献１に記載のカメラにおいては、印象的な被写体を撮影しているタイミングで静止画撮影用のスイッチを操作しておけば、後々、その部分のみを選択的に観賞することが可能である。
【０００５】
しかしながら、動画撮影の操作中であるため、強い印象を受けた瞬間に、即座に静止画撮影用のスイッチを操作して静止画を記録することは容易ではない。このため、静止画を記録しておいても、強い印象を受けた部分と静止画として記録されている画像とが一致せず、印象の強かった部分のみを選択的に観賞することができないことがあるという問題があった。
【０００６】
従って、本発明の目的は、動画の撮影中に、印象的な部分を容易に静止画撮影することができる動画撮影可能なカメラを提供することにある。
【課題を解決するための手段】
【０００７】
本発明の前記目的は、被写体を撮像する撮像部と、前記撮像部からの画像情報に基づく動画撮影の開始と終了を決定する動画撮影操作部と、動画撮影中に静止画タイミング信号を自動的に発生するタイミング信号自動発生部と、前記動画撮影操作部の操作に応答して動画情報を記録するとともに、前記動画情報の記録中に前記タイミング信号自動発生部に応答して静止画情報を記録する記録制御部とを有することを特徴とする動画撮影可能なカメラによって達成される。
【発明の効果】
【０００８】
本発明によれば、動画の撮影中に、印象的な部分を容易に静止画撮影することができる動画撮影可能なカメラを提供することが可能になる。
【発明を実施するための最良の形態】
【０００９】
図１は、本発明の動画撮影可能なカメラの実施例に関するブロック図であり、制御部１が全体の機能を統括する。電源・録／再操作部２は、電源のオン／オフ、および、録画モードと再生モードとの切換を行う手動操作部であり、その詳細構造の一例は後述の図２に示す。モード選択操作部３は、カメラの動作モードを、その詳細を後述の図４に示す種々のモードに切換えるための操作を行う手動操作部である。
【００１０】
電源・録／再操作部２により録画モードで電源がオンされると、撮像部４による撮像が開始され、撮像された動画像が出力部５の画像表示部６に表示される。撮像部４によって撮像された動画データは、同時にバッファ部７に取り込まれる。バッファ部７は、所定時間、例えば１０秒間分の動画データを保持可能であり、１０秒経過する都度、バッファ部７に保持されるデータは、次々に新しいデータに置き換えられる。このため、バッファ部７には、常に最新の１０秒間の動画データが保持されることになる。また、録画モードで電源がオンされることにより、並行してマイクロフォン８による音声データの取得も開始され、動画データと関連付けられてバッファ部７に取り込まれる。音声データも動画データと同様にして最新１０秒間分が常にバッファ部７に保持される。
【００１１】
動画撮影操作部９が操作されると動画撮影が開始され、バッファ部７に保持されている動画データが圧縮部１０で動画圧縮されて記録部１１に記録される。このとき、バッファ部７の音声データも連動して圧縮され、記録部１１に記録される。バッファ部７に保持されている動画データおよび音声データをどう採用して動画圧縮するかは、撮影モードによって異なり、その詳細は後述する。
【００１２】
一方、静止画撮影操作部１２が操作されると、そのタイミングにおいて撮像部４からバッファ部７に取り込まれた静止画データが圧縮部１０で静止画圧縮され、記録部１１に記録される。静止画撮影操作部１２が操作されたときの機能は、このような通常の静止画記録だけでなく、後述する種々の撮影モードがある。例えば、静止画撮影操作部１２の操作によって、所定時間、例えば１５秒間のショートムービーを記録する機能や、動画撮影中に静止画撮影操作部１２を操作した際に動画データ中に静止画タイミング信号を付加記録する機能などがある。
【００１３】
また、本実施例にかかるカメラには、動画撮影状況の変化に応じて静止画タイミング信号を自動的に発生させるための撮影状況検知部１３が設けられており、上記のように静止画撮影操作部１２による手動操作に応じて静止画タイミング信号を発生させる場合の他、動画撮影状況の変化に応じて自動的に静止画タイミング信号を発生させることも可能である。
【００１４】
また、電源・録／再操作部２により再生モードへの切換えを行い、再生操作部１４で再生指示を行うと、記録部１１からのサムネイルデータが画像表示部６に表示される。その後、再生操作部１４で、その一つを選択すると、記録部１１からの画像データが伸張部１５で伸張され、画像が画像表示部６に、また、音声データがあればスピーカ１６にそれぞれ出力される。なお、再生モードについてもモード選択操作部３で切換え可能な種々のモードがある。
【００１５】
図２は、電源・録／再操作部２の詳細構造の一例を示す正面図である。電源・録／再操作部２は、スライド可能な操作ボタン２ａを有し、図２では、この操作ボタン２ａは、電源オフの位置にある。操作ボタン２ａが破線で示す位置２ｂにスライドさせられると、電源がオンになるとともに、カメラは撮影モードで立ち上がる。一方、操作ボタン２ａが破線で示す位置２ｃにスライドさせられると、電源がオンになるとともに、カメラは再生モードで立ち上がる。なお、電源・録／再操作部２は、図２に示すような構造に限らず、電源のオン／オフボタンと、撮影モードおよび再生モードを切換えるモード切換えボタンとに分けて構成してもよい。
【００１６】
図３は、撮影状況検知部１３の構成を示すブロック図である。
【００１７】
撮影時間検知部４１は、動画撮影時間の経過に基づいて検知信号を出力するものであり、動画撮影の開始から撮影時間をカウントして所定時間（例えば、３０秒）毎に検知信号を出力する。また、この撮影時間検知部４１は、撮影時間の経過に応じて検知信号の出力頻度を変更し、例えば、撮影時間が長時間（例えば、５分）に至った場合には、その後の検知信号の発生間隔を３０秒よりも長い時間に設定して検知信号の出力頻度を少なくする。
【００１８】
画像検知部４２は、撮像部４から出力される画像信号を解析して撮影画像の変化を検知するものであり、例えば、フォーカス情報、顔認識情報および目線認識情報などに基づいて検知信号を出力する。具体的には、撮影画面内でフォーカス位置が変わったときにその移動量が所定のしきい値を越えた場合、撮影対象が変更されて焦点距離が変化した場合、撮影画面内に人物や動物の顔と認識される画像が含まれている場合、および、撮影画面内の人物や動物の目線がカメラ側に向いていることを認識した場合などに検知信号を出力する。
【００１９】
明るさ検知部４３は、撮像部４や測光センサー（図示せず）から出力される画像信号に基づいて撮影画面内の明るさの変化や明るさの状態を検知するものである。例えば、撮影画面内の明るさを検知するに際しては、所定時間間隔で撮影画像の平均輝度の変化を計測し、変化の度合いが所定のしきい値を越えたときに検知信号を出力する。一方、撮影画面内の明るさの状態を検知するに際しては、例えば、被写体にスポットライトが照射され、撮影画面の中央部が明るく、周囲が暗くなるなどの特定の明るさ状態になっている画像を検出した場合に検知信号を出力する。
【００２０】
音声検知部４４は、マイクロフォン８から出力される音声信号に基づいて被写界の音声の変化を検知するものである。例えば、歓声が上がったりなどしてマイクロフォン８で集音される音声のレベルが高くなり、所定のしきい値を越えたときに検知信号を出力する。
【００２１】
視線検知部４５は、操作者の視線を検知するものであり、視線の移動量が所定のしきい値を越えたときに検知信号を出力する。例えば、ファインダーの周辺に赤外ＬＥＤを設けて操作者の目に赤外線を照射し、その反射光を読み取ることによって、ファインダーを覗いている操作者の瞳の位置を検出することが可能であり、視線検知部４５は、その瞳の位置から操作者の視線の方向を算出し、所定時間間隔で視線の変化を計測する。
【００２２】
発汗検知部４６は、カメラを持っている操作者の手の発汗状態を検知するものであり、操作者が緊張又は興奮して手の発汗量が多くなったときに検知信号を出力する。具体的には、カメラの持ち手部分に電極を設けて、所定時間毎にその抵抗値を測定し、持ち手部分が濡れて抵抗値が所定のしきい値以下となったときに検知信号を出力する。
【００２３】
生体信号検知部４７は、操作者の生体信号を検知するものであり、本実施例においては、操作者の脳波を検知する。具体的には、操作者に取り付けた脳波センサーなどからの出力信号に基づいて操作者の脳波を測定し、測定した脳波が操作者の緊張又は興奮状態を示す場合などに検知信号を出力する。
【００２４】
パンニング検知部４８は、操作者のパンニング操作を検知するものである。例えば、角速度センサーや手ぶれ補正用のセンサーなどをカメラに設け、パンニング検知部４８は、それらのセンサーからの出力信号に基づいて所定時間毎にカメラの向きの変化を測定し、その変化量が所定のしきい値を越えたときにパンニング操作が行われたと判定して検知信号を出力する。
【００２５】
これら画像検知部４２、明るさ検知部４３、音声検知部４４、視線検知部４５、発汗検知部４６、生体信号検知部４７およびパンニング検知部４８は、検知信号を出力すべき状態を検出している間、連続的に検知信号を出力し続けるのではなく、撮影時間検知部４１と同様に、検知信号を出力すべき状態を検出してから所定時間（例えば、３０秒）間隔で断続的に検知信号を出力し、また、検出してから長時間（例えば、５分）が経過した後は、検知信号の出力間隔を３０秒よりも長い時間に設定して検知信号の出力頻度を少なくする。
【００２６】
ズーム操作検知部４９は、カメラのズーム操作が実行されているか否かを検知するものであり、ズーム操作が実行されている間にズーミング信号を出力する。
【００２７】
自動焦点検知部５０は、カメラのフォーカス状態を検知するものであり、焦点の調整中は検知信号を出力せず、合焦状態になったときに合焦信号を出力する。
【００２８】
姿勢検知部５１は、カメラの縦方向の向きを検知するものである。例えば、傾きを検出する傾斜センサーなどをカメラに設け、姿勢検知部５１は、それらセンサーからの出力信号が水平であることを示すときに水平信号を出力する。
【００２９】
以上の検知部４１ないし５１は、機能させるか否かを別個に設定することが可能であり、特定の検知部のみを機能させ、その他の検知部を機能させないようにすることも可能である。
【００３０】
タイミング信号自動発生部５２は、撮影時間検知部４１、画像検知部２２、明るさ検知部２３、音声検知部４４、視線検知部４５、発汗検知部４６、生体信号検知部４７およびパンニング検知部４８から検知信号が出力されたときに、静止画タイミング信号を発生する。また、タイミング信号自動発生部５２は、ズーミング信号が出力されている期間、ならびに、合焦信号および水平信号の少なくとも一方が出力されていない期間は、検知部４１ないし４８からの検知信号を無効なものとして扱って静止画タイミング信号を発生せず、その他の期間に限って検知信号に応答して静止画タイミング信号を発生する。なお、ズーム操作検知部４９、自動焦点検知部５０および姿勢検知部５１が機能しないように設定されているときには、常時、検知部４１ないし４８からの検知信号に応答して静止画タイミング信号を発生する。
【００３１】
図４は、撮影モードと再生モードの詳細を示す概念図である。図４において、モードは大別して「撮影」モードと「再生」モードに区分され、更に、「撮影」モードは「単純静止画」モード以下５つのモードに細分化されている。説明の便宜上、本明細書においては、例えば、「撮影」モードにおける「単純静止画」モードを「単純静止画撮影モード」と称し、以下、他のモードにおいても、再生モードにおける細分化モードも含め、同様の要領の読み方で説明を加える。
【００３２】
「単純静止画撮影モード」は、静止画撮影操作部１２が操作されたタイミングで静止画を撮影するモードであり、圧縮部１０における画像記録方式は「静止画圧縮」モードとなる。なお、この際、静止画撮影タイミングの数秒前から静止画撮影タイミングの数秒後までの間の音声データを同時に記録し、音声付静止画データとすることも可能である。
【００３３】
また、動画の撮影中に、カメラの動作モードを「単純静止画撮影モード」に切り換えて、静止画を撮影することも可能である。この場合には、静止画圧縮データが記録される他、静止画撮影操作部１２の操作を行った操作タイミングを示す静止画タイミング信号が、動画撮影による動画圧縮データ中に記録される。
【００３４】
「ショートムービー撮影モード」は、静止画撮影操作部１２の操作によって、その前後の所定時間、例えば操作前７秒、操作後８秒の合計１５秒間のショートムービーを記録するモードである。合計時間の長さ、および、これを操作前後にどのように配分するかは予め選択して設定しておくことが可能である。操作前の設定時間は、バッファ部７の容量限界、例えば１０秒まで可能である。また、ショートムービーの合計時間の全てを静止画撮影操作部１２の操作後とすること、換言すれば、静止画撮影操作部１２の操作時点から所定時間のショートムービーの作成を開始するような設定も可能である。圧縮部１０における画像記録方式は「動画圧縮」モードとなり、音声付動画が記録されるが、これに加え、静止画タイミング信号が動画圧縮データに付加して記録される。
【００３５】
「単純動画撮影モード」は、動画撮影操作部９の操作によって、動画を記録するモードであり、本モードでは、動画撮影操作部９が操作されたタイミングにおいて撮像部４からバッファ部７に取り込まれた動画データから動画撮影が開始される。また、「単純動画撮影モード」では、動画撮影操作部９が操作されたタイミングを示す撮影操作タイミング信号が、動画データ中に付加されて記録される。「単純動画撮影モード」での圧縮部１０における画像記録方式は「動画圧縮」モードとなり、音声付動画が記録される。
【００３６】
なお、「単純動画撮影モード」に設定された状態での動画の撮影中に、撮影モードが「単純静止画撮影モード」に切り換えられた場合には、動画撮影が継続された状態で、「単純静止画撮影モード」による静止画の撮影が可能な状態となる。
【００３７】
「動画／手動静止画撮影モード」は、動画を撮影するとともに、その動画撮影中に、手動操作によって静止画を撮影するモードである。「動画／手動静止画撮影モード」では、「単純動画撮影モード」の場合とは異なり、撮影モードを切換えなくても、動画の撮影中に静止画を撮影することが可能である。
【００３８】
動画の撮影に際しては、動画撮影操作部９が操作されたタイミングでバッファ部７に保持されている全ての音声付動画データに、動画撮影操作部９の操作タイミング時点からの音声付動画データを繋げた形の動画データが記録される。例えば、バッファ部７に、その容量一杯の動画データが保持されているとすると、動画撮影操作部９の操作タイミングの１０秒前から始まる動画データが記録されることになる。圧縮部１０における画像記録方式は「動画圧縮」モードである。なお、「動画／手動静止画撮影モード」においても、「単純動画撮影モード」と同様に、動画撮影操作部９が操作されたタイミングを示す撮影操作タイミング信号が、動画データ中に付加されて記録される。
【００３９】
一方、静止画の撮影に際しては、「単純静止画撮影モード」の場合と異なり、静止画圧縮データが生成されることはなく、静止画タイミング信号のみが生成され、音声付動画データに付加して記録される。
【００４０】
また、「動画／手動静止画撮影モード」では、動画の撮影に際し、静止画タイミング信号の発生時点の数秒前から発生時点の数秒後までの間の所定時間分の動画圧縮データと、その他の時間帯の動画圧縮データとが区分して生成される。これらの動画圧縮データは、時間的には連続した動画データとなるが、動画データとしては、それぞれ、独立したデータとなるため、動画撮影の開始から終了までの間に、一つの動画圧縮データが生成されるのではなく、複数の動画圧縮データが生成される。
【００４１】
「動画／自動静止画撮影モード」は、上記のような「動画／手動静止画撮影モード」と同一の機能にさらに自動静止画撮影機能を付加したものである。すなわち、動画撮影中に静止画撮影操作部１２の操作によって静止画タイミング信号が発生した場合だけでなく、動画撮影状況の変化に応じて静止画タイミング信号が自動的に発生した場合でも、これを音声付動画圧縮データに付加して記録する。圧縮部１０における画像記録方式は「動画圧縮」モードである。
【００４２】
これらの撮影モードの切換えは、モード選択操作部３を操作して行う他、動画撮影操作部９を操作することによっても可能である。従って、例えば、「単純静止画撮影モード」に設定されているときに、動画撮影操作部１２を操作した場合には、カメラの動作モードは、「単純動画撮影モード」、「動画／手動静止画撮影モード」または「動画／自動静止画撮影モード」のいずれかに変更される。なお、動画撮影操作部１２が操作されたときに、どの動画撮影モードに切り換えられるかは、予め設定しておくことが可能である。
【００４３】
以上で「撮影モード」の概略説明を終わり、次に「再生モード」について説明する。
【００４４】
「静止画再生モード」は、再生操作部１４の操作によって、静止画を再生するモードである。本モードでは、「単純静止画撮影モード」において記録された静止画圧縮データだけでなく、動画圧縮データに付加された静止画タイミング信号に基づき、そのタイミングでの静止画を動画圧縮データに基づいて再生することも可能である。
【００４５】
「音声付静止画再生モード」は、再生操作部１４の操作によって、音声付静止画を再生するモードであり、本モードでは、「ショートムービー撮影モード」で記録された音声付動画データに基づく再生が行われる。具体的には、記録された静止画タイミング信号に基づく静止画が、動画圧縮データに基づくショートムービー期間の音声とともに再生される。また、同様の再生を「動画／手動静止画撮影モード」または「動画／自動静止画撮影モード」で記録された音声付動画圧縮データに基づき、個々の静止画タイミング信号を利用して行うこともできる。なお、「音声付静止画再生モード」では、上記のように再生操作部１４の操作の都度、動画圧縮データに基づいて静止画を作成するのに代え、後述する編集操作によって静止画が確定すれば、これを関連する音声データとともに音声付静止画圧縮データとして再記録し、以後は再生操作部１４の操作で直接この音声付静止画圧縮データを再生することもできる。また、編集操作によれば、このような音声付静止画圧縮データを「ショートムービー撮影モード」で記録された音声付動画圧縮データからだけではなく、「単純動画撮影モード」、「動画／手動静止画撮影モード」、「動画／自動静止画撮影モード」において記録された音声付動画圧縮データから作成することもできる。更に、「音声付静止画再生モード」では、当然ながら、再生操作部１４の操作によって、「単純静止画撮影モード」で記録された音声付静止画圧縮データの再生をすることも可能である。
【００４６】
「ショートムービー再生モード」は、再生操作部１４の操作によって、「ショートムービー撮影モード」で記録された音声付動画データに基づく再生を行うモードである。
【００４７】
「ハイライト動画再生モード」は、「動画／手動静止画撮影モード」または「動画／自動静止画撮影モード」において記録された音声付動画圧縮データを再生するモードである。「ハイライト動画再生モード」では、動画の再生に際し、記録された動画データが全編再生されるのではなく、記録されている動画データの中から、動画撮影操作部９の操作タイミングを基準とした所定時間分の動画データ、および、静止画タイミング信号を基準とした所定時間、例えば静止画タイミング信号前の１０秒と静止画タイミング信号後の１０秒の合計２０秒間の動画データのみが読み出され、これらが繋ぎ合わされて連続再生される。
【００４８】
「単純動画再生モード」は、「単純動画撮影モード」、「動画／手動静止画撮影モード」または「動画／自動静止画撮影モード」において記録された音声付動画圧縮データを全編再生するモードである。
【００４９】
図５は、図１に示した実施例における制御部１の動作を示すフローチャートであり、電源オフ状態から電源オン状態になった場合の動作を示す。電源のオン／オフは、電源・録／再操作部２によって行われるが、操作ボタン２ａが図２のオン位置２ｂまたは２ｃにスライドさせられていても、所定時間、カメラの無操作状態が続くと、省電設計により回路的に電源オフになる。この状態から電源オンするには電源・録／再操作部２を一度オフ位置に戻して再度オン位置にする場合の他、モード選択操作部３、動画撮影操作部９、静止画撮影操作部１２、再生操作部１４等、他の操作部の操作によっても電源オン状態に復帰する。
【００５０】
フローがスタートすると、ステップＳ１で上記のいずかにより電源オン状態となるのを待つ。オン状態が検出されると、ステップＳ２に進んで無操作タイマーにリセットスタートをかける。なお、この無操作タイマーは、後のステップにおいて、ユーザによって何らかの操作が行われた場合には、その時点で改めてリセットされ、そこからカウントが開始される。次にステップＳ３で、カメラの動作モードが撮影モード、つまり図２の操作ボタンの位置が２ｂにあるかがチェックされる。
【００５１】
ステップ３において撮影モードであった場合は、ステップＳ４に進み、撮影モード初期値設定を行う。撮影モードの設定は、電源をオフしても記憶しておくことが可能であり、以前に設定されているモードがあれば、それを呼び出して初期値として設定する。設定の記憶がない場合は、ステップＳ４では、デフォルトで「動画／自動静止画撮影モード」に設定する。次にステップＳ５で、撮影モード選択操作を可能とし、モード選択操作部３による初期値以外の撮影モードへの変更ができるようにする。
【００５２】
ステップＳ６では、後述する画像キャプチャー開始処理を行い、撮像部４による撮像、その画像の画像表示部６での表示、およびバッファ部７への動画データの蓄積を開始する。次いでステップＳ７で、動画撮影の操作受付を可能とするとともに、ステップＳ８で、静止画撮影の操作受付を可能とする。これによって、動画撮影操作部９または静止画撮影操作部１２が操作されたときに撮影が可能となる。
【００５３】
ステップＳ９では、電源オフ操作の受付を可能にし、電源・録／再操作部２の操作ボタン２の操作でカメラをオフできるようにする。次いで、ステップＳ１０で、無操作タイマーがスタートしてからカメラの無操作状態が所定時間以上続いたかどうかをチェックする。所定時間経過でタイムアップとなれば、ステップＳ１１に進んで電源を回路的にオフし、ステップＳ１に戻る。
【００５４】
一方、ステップＳ３において、撮影モードでなかったときは再生モードであるから、再生モード初期表示処理を行い、初期画面を画像表示部６に表示する。この初期画面としては、例えばモード選択操作部３や再生操作部１４の操作と関連付けられたユーザーインターフェース画面を表示する。次いでステップＳ１３で、再生モード選択操作を受付可能とし、モード選択操作部３による再生モードでのモード選択操作ができるようにする。更に、ステップＳ１４において、再生操作を受付可能とし、再生操作部１４による再生操作ができるようにするとともに、ステップＳ９に移行する。
【００５５】
図６は、図５のステップＳ６における画像キャプチャー開始処理の詳細を示すフローチャートである。フローがスタートすると、ステップＳ２１で、撮像部４による撮像を開始する。そして、ステップＳ２２で、バッファ部７への音声付動画データの蓄積を開始する。更に、ステップＳ２３において、撮影開始から所定時間、例えば１０秒経過した時点でバッファ部７に保持されているデータ（以下、「バッファ部７に保持されているデータ」を「バッファデータ」ということがある）を、撮影部４から新しく入力されるデータに、順次、上書きさせる処理を開始させて、ステップＳ７に移行する。
【００５６】
図７は、図５のステップＳ７で受付可能となった動画撮影操作部９の操作によってスタートする動画撮影フローである。動画撮影の操作が受付けられると、カメラの動作モードが、「単純動画撮影モード」、「動画／手動静止画撮影モード」または「動画／自動静止画撮影モード」のいずれかに設定され、フローがスタートする。フローがスタートすると、まず、ステップＳ３１において、動画撮影の操作受付の前に、カメラの動作モードが「ショートムービー撮影モード」に設定されていたかどうかをチェックする。ステップＳ３１で、「ショートムービー撮影モード」に設定されていた場合には、ステップＳ３２に進む。
【００５７】
ステップＳ３２では、「ショートムービー撮影モード」に設定された状態で静止画撮影操作部１２を操作してから、所定時間内に動画撮影操作部９が操作されたかどうかをチェックする。ステップＳ３２の判定結果がＹＥＳであれば、ステップＳ３３に移行し、そのショートムービーデータを動画撮影モードで撮影した動画データにシームレスに繋いだ動画データを作成するための処理の準備を行う。そして、ステップＳ３４に移行し、動画記録開始処理を行う。ステップＳ３４の詳細は後述する。
【００５８】
なお、ステップＳ３２における所定時間は、「単純動画撮影モード」においては、「ショートムービー撮影モード」で設定されている状態で、静止画撮影操作部１２を操作した後の設定記録時間に対応する。一方、「動画／手動静止画撮影モード」または「動画／自動静止画撮影モード」においては、「ショートムービー撮影モード」で設定されている状態で、静止画撮影操作部１２を操作した後の設定記録時間と、バッファ部７に保存されている音声付動画の時間との和になる。これらのいずれを所定時間とするかは、ステップＳ３２内において撮影モードを判定し、自動的に決定する。これについては、後述の図９で詳述する。
【００５９】
一方、ステップＳ３１で「ショートムービー撮影モード」でなかった場合には、ステップＳ３１から直接ステップＳ３４に移行する。また、ステップＳ３２において、静止画撮影操作部１２を操作してから所定時間内に動画撮影操作部９が操作されなかったときは、ステップＳ３２から直接ステップＳ３４に移行する。
【００６０】
ステップＳ３４の処理の後、ステップＳ３５に進み、「動画／自動静止画撮影モード」設定であるかどうかをチェックする。該当すればステップＳ３６に進み、静止画タイミング信号の自動発生指示処理を行って、静止画タイミング信号の自動発生処理を開始させた後、ステップＳ３７に移行する。一方、該当しなければステップＳ３５から直接ステップＳ３７に移行する。
【００６１】
ステップＳ３７では、静止画撮影操作部１２の操作を受付けたかどうかをチェックする。受付けていなければステップＳ３８に移行し、静止画タイミング信号が自動発生したかどうかをチェックする。自動発生があれば、ステップＳ３９に移行して静止画タイミング記録処理を行う。ステップＳ３９の詳細は、後述する。
【００６２】
一方、ステップＳ３７において静止画撮影操作部１２の操作を受け付けていれば、これに基づき静止画タイミング信号が発生しているので、直接ステップＳ３９に移行し、静止画タイミング記録処理を行う。
【００６３】
いずれの場合も処理が済めば、ステップＳ４０に移行する。また、ステップＳ３８に至っても静止画タイミング信号が発生していなければ、静止画タイミング記録処理は不要なので、直接ステップＳ４０に移行する。
【００６４】
ステップＳ４０では、画像表示部６において動画撮影中に実行すべき表示のための処理を行う。また続くステップＳ４１では、動画撮影中における記録部１１の残容量の表示処理を行う。
【００６５】
ステップＳ４１の処理が終了すると、ステップＳ４２に移行して動画撮影操作部９によって動画撮影終了のための操作が行われたかどうかをチェックし、操作が行われていれば、ステップＳ４３に移行して、動画撮影終了後の表示処理を行う。この処理が終われば、動画撮影処理を終了する。
【００６６】
一方、ステップＳ４２において動画撮影の終了操作が行われていなかった場合は、ステップＳ３７に戻り、動画撮影を継続する。
【００６７】
図８は、図７のステップＳ３４における動画記録開始処理の内容を示すフローチャートである。処理がスタートすると、ステップＳ５１で「単純動画撮影モード」設定状態であるかどうかをチェックする。該当しなければ、「動画／手動静止画撮影モード」または「動画／自動静止画撮影モード」であるが、この場合は、ステップＳ５２に進み、静止画タイミング信号の受付を可能とする。
【００６８】
次にステップＳ５３に進み、撮影開始から所定時間（例えば１０秒）経過するか又は静止画タイミング信号が入るまでは、バッファデータの圧縮処理を保留する処理を開始させる。ステップＳ５３の意義は、「動画／手動静止画撮影モード」または「動画／自動静止画撮影モード」においては、撮像開始時点でバッファ部７に保持されている音声付画像データを、撮影開示時点からの音声付き画像データに繋げた形の動画データを記録する必要があるため、このようにしてバッファデータの圧縮処理を保留することにある。
【００６９】
バッファデータの圧縮処理の保留時間が経過すると、ステップＳ５４に進み、動画撮影操作部９の撮影タイミングを基準とした所定時間分の動画データを圧縮して、独立した動画圧縮データとして作成するとともに、撮影操作タイミング信号を付加する処理をさせて動画記録開始処理を終了し、図７のステップＳ３５に移行する。ステップＳ５４において、動画撮影タイミングを基準とした所定時間分の動画圧縮データを生成するのは、動画撮影の開始前後の画像は撮影者の関心が高い部分であり、ハイライト動画再生モードにおいて、この部分も再生対象とするためである。また、動画撮影操作部９の撮影操作タイミング信号の情報を動画ファイルに付加しておくことにより、動画開始前後の動画部分をショートムービー記録と同様に扱うことも可能になる。
【００７０】
一方、ステップＳ５１において「単純動画撮影モード」設定であったときは、ステップＳ５５に進み、動画撮影操作部９の操作後、速やかにバッファデータの圧縮処理を開始させて動画記録開始処理を終了し、図７のステップＳ３５に移行する。
【００７１】
図９は、図７のフローにおけるステップＳ３２からステップＳ３４、および図８の機能を説明するためのタイミングチャートであり、左から右に時間が経過するように時間軸を設けている。図中、静止画撮影操作部１２の操作タイミングを矢印ｓで、動画撮影操作部９の操作タイミングを矢印ｍでそれぞれ示す。また、以下の説明においては、「ショートムービー撮影モード」に設定された状態で静止画撮影操作部１２を操作してから、ショートムービーの撮影が終了するまでの時間を「後半時間」と称する。
【００７２】
図９の（ａ）、（ｂ）は「ショートムービー撮影モード」において静止画撮影操作部１２の操作をした後に、「単純動画撮影モード」にて動画撮影操作部９を操作した場合である。図９の（ａ）は、図７のステップＳ３２から直接ステップＳ３４に移行し、図８では、ステップＳ５１からステップＳ５５に移行した場合に該当する。つまり、静止画撮影操作タイミングｓから後半時間の経過後、すなわち、ショートムービー撮影の時間帯の経過後に「単純動画撮影モード」にて動画撮影が開始されているため、ショートムービーと動画は繋がらず、それぞれ、そのまま独立した動画ファイルとして記録される。
【００７３】
一方、図９の（ｂ）は、図７のステップＳ３２からステップＳ３３経由でステップＳ３４に移行し、ステップＳ３４の内容を示す図８では、ステップＳ５１からステップＳ５５に移行した場合に該当する。つまり、静止画撮影操作タイミングｓの後、後半時間の経過前、すなわち、ショートムービー撮影の時間帯の終了前に「単純動画撮影モード」にて動画撮影が時刻ｍで開始されている。この場合は、ショートムービー動画をシームレスに繋げた動画ファイル２３を作成する。この動画ファイル２３には、静止画撮影操作部１２が操作されたタイミングを示す静止画タイミング信号２１ｓと、動画撮影操作部９が操作されたタイミングを示す撮影操作タイミング信号２２ｍが付加される。これらのタイミング信号２１ｓ、２２ｍは、静止画撮影操作部１２が操作された後の所定時間内に動画撮影操作部９が操作されたかどうかを示す情報となる。なお、当初の時間帯どおりのショートムービー２１も独立して作成される。
【００７４】
図９の（ｃ）、（ｄ）は、モード及びフローの流れとも図９の（ａ）、（ｂ）と共通であるが、「ショートムービー撮影モード」において静止画タイミング前の時間帯がゼロに設定されている場合を示したものである。図９の（ｃ）は、静止画撮影操作タイミングｓの後、後半時間の経過後に「単純動画撮影モード」にて動画撮影が時刻ｍで開始されているため、ショートムービー２４と動画２２は繋がらず、それぞれ、そのまま独立した動画ファイルとして記録される。一方、図９の（ｄ）は、静止画撮影操作タイミングｓ後の後半時間の経過前、すなわち、ショートムービー撮影の時間帯の終了前に「単純動画撮影モード」にて動画撮影が時刻ｍで開始されているため、ショートムービー２４と動画２２をシームレスに繋げた動画ファイル２５が作成される。動画ファイル２５においても、動画ファイル２３と同様に、静止画タイミング信号２４ｓおよび撮影操作タイミング信号２２ｍが付加される。
【００７５】
図９の（ａ）、（ｂ）および図９の（ｃ）、（ｄ）のいずれの場合においても、ショートムービー２１、２４と動画２２がシームレスに繋がるかどうかは、図７のステップＳ３２のチェック、つまり、静止画撮影操作タイミングｓの後の所定時間内に、動画撮影が開始されるかどうかで決まる。
【００７６】
図９の（ｅ）、（ｆ）は、「ショートムービー撮影モード」において静止画撮影操作部１２の操作をした後に、「動画／手動静止画撮影モード」または「動画／自動静止画撮影モード」にて動画撮影操作部９を操作した場合である。なお、図９の（ｅ）、（ｆ）の場合、図７のステップＳ３２における「所定時間」は、ショートムービーにおける静止画撮影操作部１２の操作タイミングｓ後の時間帯２１ｂ（後半時間）と、動画撮影操作部９の操作タイミングｍ前の時間帯２６ａとの和になる。時間帯２６ａは、バッファ部７に保存され、圧縮処理を保留されている音声付動画の時間に該当しており、「動画／手動静止画撮影モード」または「動画／自動静止画撮影モード」における動画ファイル２６では、動画撮影操作部９の操作タイミングｍ前のこの時間帯の動画データも取り込まれるからである。
【００７７】
図９の（ｅ）は、図７のステップＳ３２から直接ステップＳ３４に移行し、図８では、ステップＳ５１からステップＳ５２を経由してステップＳ５３に移行した場合に該当する。図９の（ｅ）の場合、静止画撮影操作部１２の操作タイミングｓの後、時間帯２１ｂと時間帯２４ａの和よりも長い時間が経過した後の時刻ｍで動画撮影操作部９が操作されているため、ショートムービー２１と動画２６は繋がらない。従って、それぞれそのまま独立した動画ファイルとして記録される。
【００７８】
一方、図９の（ｆ）は、図７のステップＳ３２からステップＳ３３経由でステップＳ３４に移行し、図８では、ステップＳ５１からステップＳ５２を経由してステップＳ５５に移行した場合に該当する。つまり、時間帯２１ｂと時間帯２４ａの和の時間内の時刻ｍにて動画撮影操作部９が操作されている。この場合は、時間帯２１ｂと時間帯２４の重複部分を除いて、ショートムービー２１と動画２６をシームレスに繋げた動画ファイル２７を作成する。なお、当初の時間帯どおりのショートムービー２１も独立して作成される。
【００７９】
図９で説明した以上の機能の意義は、当初、静止画撮影の意図で撮影を始めたところ、途中から動画の撮影を望んだときに、関心の高かった静止画撮影時点のデータも含めて動画ファイルを作成することを可能にし、シームレスに静止画撮影モードから動画撮影モードに移行することができるようにすることにある。
【００８０】
図１０は、図７のステップＳ３６によって開始される静止画タイミング信号の自動発生処理の内容を示すフローチャートである。ここでは、図３に示した検知部４１ないし５１の全てが有効に機能するように設定されている場合を例示して説明を加える。
【００８１】
フローがスタートすると、まず、ステップＳ６１において、ズーム操作検知部４９からズーミング信号が出力されている否かをチェックする。出力されていれば、ステップＳ６２に進んで静止画タイミング信号の自動発生を禁止した後、ステップＳ６１に戻ってズーミング信号の出力が停止されるまで待機する。
【００８２】
一方、ズーミング信号が出力されていない場合には、ステップＳ６３に進んで自動焦点検知部５０から合焦信号が出力されているか否かをチェックするとともに、ステップＳ６４において、姿勢検知部５１から水平信号が出力されているか否かをチェックする。
【００８３】
ステップＳ６３、Ｓ６４において、合焦信号又は水平信号が出力されていない場合には、ステップＳ６２に進んで静止画タイミング信号の自動発生を禁止し、ステップＳ６１に戻る。一方、合焦信号および水平信号の双方が出力されている場合には、静止画タイミング信号の自動発生を許可し、ステップＳ６５に進んで撮影時間の検知処理を実行する。その後、ステップＳ６６ないしＳ７２に進んで、画像検知処理、明るさ検知処理、音声検知処理、視線検知処理、発汗検知処理、脳波検知処理およびパンニング検知処理をそれぞれ実行する。
【００８４】
次いで、ステップＳ７３において、ステップＳ６５ないしＳ７２の検知処理の結果、検知信号が出力されたか否かをチェックする。検知信号が出力されている場合には、ステップＳ７４に進み、静止画タイミング信号を自動発生してステップＳ７５に進む。一方、検知信号が出力されていない場合には、静止画タイミング信号を発生することなく、ステップＳ７５に進む。
【００８５】
ステップＳ７５においては、動画撮影を終了する操作が実行されたか否かをチェックし、操作が実行されている場合には、処理を終了する。これに対して、動画撮影を終了する操作が実行されていない場合には、ステップＳ６１に戻り、以後、ステップＳ６１ないしＳ７５の処理を繰り返す。
【００８６】
図１１および図１２は、図７のステップＳ３９における静止画タイミング記録処理の内容を示すフローチャートであり、図１３は、静止画タイミング記録処理に際しての動画ファイルの作成状態を示すタイミングチャートである。
【００８７】
フローの説明に先立って、まず、静止画タイミング記録処理の概要を説明する。この処理は、ハイライト動画再生モードのために行われる処理であり、動画の撮影中に、静止画タイミング信号を基準とした所定時間分の動画を独立した動画ファイルとして作成することを主眼とする。このようにすることにより、ハイライト動画再生の際に静止画タイミング信号を基準とした所定時間分の動画のみを容易に抽出し、これらを繋ぎ合わせて再生することを可能とする。通常、静止画タイミング前後の記録時間は、ショートムービー撮影モードにおける静止画タイミング前後の記録時間と等しく設定するが、異なるように設定することも可能である。
【００８８】
さて、図１１および図１２において静止画タイミング記録処理がスタートすると、ステップＳ８１において、前回の静止画タイミング信号ｓｎ−１が手動操作によって発生したものであるか否かをチェックする。手動操作によって発生したものである場合には、ステップＳ８２に進み、今回の静止画タイミング信号ｓｎが発生したか否かをチェックするとともに、その静止画タイミング信号ｓｎが手動操作によって発生したものであるか否かをチェックする。
【００８９】
手動操作によって発生したものである場合には、ステップＳ８３に進み、前回の静止画タイミング信号ｓｎ−１の発生から所定時間（ｂｎ―１＋ａｎ）内に、今回の静止画タイミング信号ｓｎが発生したかどうかをチェックする。ここに、時間ａは静止画タイミング前の所定時間であり、時間ｂは静止画タイミング後の所定時間である。つまり、ステップＳ８３は、前回の静止画タイミング信号ｓｎ−１の発生から時間ｂｎ−１が経過し、その後さらに、時間ａｎが経過してから今回の静止画タイミング信号ｓｎが発生したかどうか、換言すれば、静止画タイミング信号が時間的に近接して発生し、前回の静止画タイミング信号を基準とした所定時間分の動画と、今回の静止画タイミング信号を基準とした所定時間分の動画とが時間的に重ならないかどうかをチェックしていることになる。
【００９０】
ステップＳ８３で、前回の静止画タイミング信号ｓｎ−１の発生から所定時間（ｂｎ―１＋ａｎ）内に今回の静止画タイミング信号ｓｎが発生していなければ、ステップＳ８４に進み、図１３（ａ）に示されるように、今回の静止画タイミング信号ｓｎの発生タイミングよりも時間ａｎだけ前からのバッファデータを取得する。
【００９１】
次いで、ステップＳ８５において、今回の静止画タイミング信号ｓｎの発生タイミングから第一の時間Ｔ１および第二の時間Ｔ２のうちの長い方の時間が経過したか否かをチェックする。第一の時間Ｔ１および第二の時間Ｔ２については後述する。第一の時間Ｔ１および第二の時間Ｔ２のうちの長い方の時間が経過している場合には、ステップＳ８６に進み、経過していない場合には、時間が経過するまで続く処理を待機する。
【００９２】
ステップＳ８６においては、取得したデータに基づき今回の動画圧縮処理を開始し、続くステップＳ８７においては、動画圧縮データに今回の静止画タイミング信号ｓｎを記録する。
【００９３】
ステップＳ８８では、今回の静止画タイミング信号ｓｎの発生から時間ｂｎが経過したかどうかをチェックしており、経過していなければステップＳ８９で動画撮影が強制打ち切りされていないかどうかをチェックする。そして、強制打ち切りがない限り、ステップＳ８９からステップＳ８８に戻り、ステップＳ８８とステップＳ８９を繰り返しながら時間ｂｎの経過を待つ。そして、時間ｂｎが経過すれば、ステップＳ８８からステップＳ９０に移行し、今回の動画ファイルの作成を完了して、図７のステップＳ４０に進む。
【００９４】
ここに、ステップＳ８９は、次回の静止画タイミング信号ｓｎ＋１が近接して入った場合に、時間ｂｎの経過待ちのループから抜け、次回の動画ファイルの作成開始を優先するためのものである。ステップＳ８９において強制打ち切りを検知すれば、時間ｂｎの経過前であっても即座にステップＳ９０に移行する。
【００９５】
一方、ステップＳ８３において、前回の静止画タイミング信号ｓｎ−１の発生から所定時間（ｂｎ―１＋ａｎ）内に今回の静止画タイミング信号ｓｎが発生したときは、前回の静止画タイミング信号を基準とした所定時間分の動画と、今回の静止画タイミング信号を基準とした所定時間分の動画とが時間的に重なることになる。このため、ステップＳ９１に移行し、図１３（ｂ）に示されるように、今回の動画ファイルの作成を優先し、時間ａｎの開始時点で前回の動画ファイルの作成を打ち切る。この結果、前回の動画ファイルの静止画タイミング後の動画長さは、時間ｂｎ−１より短くなり、最短ではゼロになる。但し、前回の静止画タイミングを越えて今回の動画ファイルの時間が、前回の動画ファイルの時間に食い込むことはない。
【００９６】
次にステップＳ９２で前回の静止画タイミング信号ｓｎ−１の発生から時間ａｎ以内に今回の静止画タイミング信号ｓｎが発生したかどうかをチェックする。図１３（ｂ）に示されるケースは、前回の静止画タイミング信号ｓｎ−１の発生から時間ａｎが経過した後に、今回の静止画タイミング信号ｓｎが発生しているため、ステップＳ８４に移行し、通常通り、今回の静止画タイミング信号ｓｎの発生タイミングよりも時間ａｎだけ前からの動画ファイルの作成に入る。
【００９７】
一方、図１３（ｃ）に示されるように、前回の静止画タイミング信号ｓｎ−１の発生から時間ａｎ内に今回の静止画タイミング信号ｓｎが発生した場合には、ステップＳ９３に進み、前回の静止画タイミング信号ｓｎ−１の発生タイミングで、前回の動画ファイルの作成を打ち切るとともに、前回の静止画タイミング信号ｓｎ−１の発生タイミングから、今回の動画ファイル作成のためのバッファデータを取得する。この結果、前回の動画ファイルにおける静止画タイミング後の動画長さはゼロとなり、また、今回の動画ファイルにおける静止画タイミング前の動画長さは時間ａｎより短くなる。
【００９８】
一方、ステップＳ８２において、今回の静止画タイミング信号ｓｎが手動操作によって発生したものでない場合、すなわち、手動操作によって静止画タイミング信号ｓｎ−１が発生した後に、静止画タイミング信号ｓｎが自動発生した場合には、ステップＳ９４に進み、前回の静止画タイミング信号ｓｎ−１が発生してから第一の時間Ｔ１が経過する前に、今回の静止画タイミング信号ｓｎが発生したか否かをチェックする。ここに、第一の時間Ｔ１は、手動操作による静止画タイミング信号と自動発生による静止画タイミング信号とが発生したときに、それらの静止画タイミング信号が近接しているか否かを判定するためのものであり、所定時間（ｂｎ―１＋ａｎ）よりも短い時間とされる。この第一の時間Ｔ１は、所定時間（ｂｎ―１＋ａｎ）よりも短い時間であればとくに限定されるものではなく、設定によって任意の時間に決定することが可能である。
【００９９】
ステップＳ９４の判定結果がＹＥＳであり、手動操作による静止画タイミング信号ｓｎ−１に近接して、自動発生による静止画タイミング信号ｓｎが発生している場合には、ステップＳ９５に進んで、自動発生による静止画タイミング信号ｓｎを無効なものとして扱い、今回の静止画タイミング信号ｓｎの記録処理を実行いないで処理を終了する。
【０１００】
これに対して、ステップＳ９４の判定結果がＮＯであった場合には、今回の静止画タイミング信号ｓｎの発生タイミングが第一の時間Ｔ１の経過後であっても所定時間（ｂｎ―１＋ａｎ）の範囲内であることがあるため、ステップＳ８３に進み、以後、静止画タイミング信号ｓｎ−１および静止画タイミング信号ｓｎのそれぞれが手動操作によって発生した場合と同様の処理を実行する。
【０１０１】
これらに対して、ステップＳ８１において、前回の静止画タイミング信号ｓｎ−１が手動操作によって発生したものでない場合、すなわち、前回の静止画タイミング信号ｓｎ−１が自動発生によって発生したものである場合には、ステップＳ９６に進んで、今回の静止画タイミング信号ｓｎが発生したか否かをチェックするとともに、今回の静止画タイミング信号ｓｎが手動操作によって発生したものであるか否かをチェックする。
【０１０２】
ステップＳ９６の判定結果がＮＯであり、今回の静止画タイミング信号ｓｎが自動発生によって発生したものである場合には、ステップＳ９７に進んで、前回の静止画タイミング信号ｓｎ−１が発生してから第二の時間Ｔ２が経過する前に、今回の静止画タイミング信号ｓｎが発生したか否かをチェックする。ここに、第二の時間Ｔ２は、自動発生による２つの静止画タイミング信号が発生したときに、それらの静止画タイミング信号が近接しているか否かを判定するためのものであり、第一の時間Ｔ１と同様に、所定時間（ｂｎ―１＋ａｎ）よりも短い時間とされる。この第二の時間Ｔ２は、所定時間（ｂｎ―１＋ａｎ）よりも短い時間であれば設定によって自由に決定することが可能であり、また、必ずしも第一の時間Ｔ１と同じ時間に決定する必要はなく、第一の時間Ｔ１と異なる時間に決定してもよい。
【０１０３】
ステップＳ９７の判定結果がＹＥＳであり、自動発生による静止画タイミング信号ｓｎ−１に近接して、自動発生による静止画タイミング信号ｓｎが発生している場合には、ステップＳ９５に進み、今回の静止画タイミング信号ｓｎを無効なものとして扱って記録せず、処理を終了する。なお、第二の時間Ｔ２内に、３つ以上の静止画タイミング信号が発生している場合には、最先の静止画タイミング信号が有効なものとして選択され、その他の静止画タイミング信号が無効なものとして扱われる。
【０１０４】
これに対して、ステップＳ９７の判定結果がＮＯであり、前後の静止画タイミング信号ｓｎ−１、ｓｎが近接していない場合には、ステップＳ８３に進み、以後、手動操作によって静止画タイミング信号ｓｎ−１が発生した後に、手動操作によって静止画タイミング信号ｓｎが発生した場合と同様の処理を実行する。
【０１０５】
一方、ステップＳ９６において、今回の静止画タイミング信号ｓｎが手動操作によって発生したものである場合には、ステップＳ９８に進み、前回の静止画タイミング信号ｓｎ−１が発生してから第一の時間Ｔ１が経過する前に、今回の静止画タイミング信号ｓｎが発生したか否かをチェックする。ステップＳ９８の判定結果がＹＥＳであり、自動発生による静止画タイミング信号ｓｎ−１に近接して、手動操作による静止画タイミング信号ｓｎが発生している場合には、自動発生による前回の静止画タイミング信号ｓｎ−１を無効なものとして扱う。
【０１０６】
上述したように、本実施例においては、先のステップＳ８５において、第一の時間Ｔ１および第二の時間Ｔ２のうちの長い方の時間が経過するまでは、動画ファイル用の圧縮処理および静止画タイミング信号の記録処理を実行しないため、この時点では、前回の静止画タイミング信号ｓｎ−１を基準とした動画ファイルの圧縮処理が開始されておらず、また、前回の静止画タイミング信号ｓｎ−１も動画ファイル中に記録されていない。
【０１０７】
このため、ステップＳ９９において、前回の静止画タイミング信号ｓｎ−１を基準とした動画ファイルの圧縮処理を取消すとともに、続くステップＳ１００において、前回の静止画タイミング信号ｓｎ−１の記録処理を取り消す。こうして前回の静止画タイミング信号ｓｎ−１が記録された動画ファイルが作成されないようにした後に、ステップＳ８４に進み、以後、ステップＳ８４以降の処理を実行する。
【０１０８】
図１４は、以上のような図１１および図１２のフローにおける機能を説明するためのタイミングチャートであり、左から右に時間が経過するように時間軸を設けている。図１４（ａ）、（ｂ）、（ｃ）におけるそれぞれの帯は、矢印ｍのタイミングにて動画撮影操作部９を操作することによって撮影された動画を示し、太線は、独立した動画ファイルとして区切られている部分を示す。また図中の破線は、動画撮影操作部９の操作タイミングまたは静止画タイミング信号が入ったタイミングを示す。
【０１０９】
図１４の（ａ）で上記の機能を具体的に説明すると、動画ファイル３１には、時刻ｍにおける動画撮影操作部９の撮影操作タイミング信号が付加されている。この動画ファイル３１は、ショートムービー記録と同列に扱うため、時刻ｍから所定時間が経過したところで区切られ、一つの動画ファイルとされる。図１４においては、時間的に、動画ファイル３１に続いて動画ファイル３２が作成されているが、この動画ファイルには静止画タイミング信号が付加されていないため、動画ファイル３２は、動画ファイル３１とは別の動画ファイルとして作成される。その後、時刻ｓ１で静止画タイミング信号が入り、静止画タイミング信号を付加した動画ファイル３３が作成されている。動画ファイル３３中の部分３３ｂは、静止画タイミングｓ１から所定時間ｂが経過する時点までに対応する。続く動画ファイル３４には静止画タイミング信号が付加されていない。次に時刻ｓ２で発生した静止画タイミング信号に基づきこの静止画タイミング信号を付加した動画ファイル３５が作成されている。動画ファイル３５の作成が終わると動画ファイル３６が作成されるが、この動画ファイル３６には静止画タイミング信号が付加されていない。因みに、「ハイライト動画再生モード」では、動画撮影操作部９の撮影操作タイミング信号が付加されている動画ファイル３１および静止画タイミング信号が付加されている動画ファイル３３、３５等が抽出され、繋ぎ合わせて再生される。一方、静止画タイミング信号が付加されていない動画ファイル３２、３４、３６等は、「ハイライト動画再生モード」では、再生処理の対象から省かれる。
【０１１０】
以上の図１４（ａ）は、図１１および図１２のフローにおいて、ステップＳ８３からステップＳ８４を経由してステップＳ８６に至り、ステップＳ８８から直接ステップＳ９０に移行する動作に該当する。
【０１１１】
次に図１４（ｂ）は、図１１および図１２のフローにおいて、動画ファイル３５に注目した場合、前回の静止画タイミング信号ｓ１の発生から所定時間（ｂｎ−１＋ａｎ）以内に今回の静止画タイミング信号ｓ２が発生した結果、ステップＳ８３からステップＳ９１に進む場合に該当する。また、前回の静止画タイミング信号ｓ１の発生から所定時間（ａｎ）以上経過して今回の静止画タイミング信号ｓ２が発生した結果、ステップＳ９２からはステップＳ８４に進む場合に該当している。図１４（ｂ）で言うと、今回の動画ファイル３５が前回の動画ファイル３３の時間帯に重複して発生しているが、今回の動画ファイル３５を優先し、前回の動画ファイル３３の作成を強制打ち切りしている。この結果、動画ファイル３３の静止画タイミング以降の部分３３ｂの時間が短くなっている。この機能は、図１１および図１２のステップＳ９１に該当する。
【０１１２】
次に図１４（ｃ）は、静止画タイミング信号がさらに近接して発生している場合であって、図１１および図１２のフローにおいて、ステップＳ８３からステップＳ９１に進んだ後、ステップＳ９２からステップＳ９３に進む場合に該当する。つまり、今回の動画ファイル３５の本来の時間帯が前回の静止画タイミングよりも前の領域に食い込む状況である。図１１および図１２のフローでは、ステップＳ９２の判定結果がＹＥＳとなる場合に相当する。このような場合でも今回の動画ファイルを優先すると、前回の静止画タイミング信号に基づく動画ファイルがなくなってしまう。そこで、ステップＳ９３では、今回の動画ファイルを前回の静止画タイミング時点から作成するようにしている。この結果、図１４（ｃ）における動画ファイル３３は、その終端部で静止画タイミングｓ１が来るよう作成されるとともに、動画ファイル３５の静止画タイミング以前の部分３５ａが本来よりも短くなっている。
【０１１３】
図１５は、図５のステップＳ８で受付可能となった静止画撮影操作部１２の操作によってスタートする静止画撮影フローである。静止画操作が受け付けられると、フローがスタートし、ステップＳ１１１において、カメラの動作モードが「単純静止画撮影モード」かどうかをチェックする。「単純静止画撮影モード」以外のモードである場合には、ステップＳ１１２において動画撮影中かどうかをチェックする。ステップＳ１１２で動画撮影中でなければ「ショートムービー撮影モード」であることが確定するのでステップＳ１１３に進む。
【０１１４】
ステップＳ１１３では、静止画撮影操作部１２の操作タイミングを基準とした所定時間分の動画データをバッファ部７から取り込み、ステップＳ１１４に進む。ステップＳ１１４では、静止画撮影操作部１２の操作後、図７のステップＳ３２で設定されている時間に相当する所定時間が経過したかどうかをチェックしている。経過していなければステップＳ１１５に進み、動画撮影操作部９の操作があるかどうかをチェックし、操作がなければステップＳ１１４に戻る。以下、所定時間の経過まで、このループを繰り返す。
【０１１５】
ステップＳ１１５において所定時間の経過前に動画撮影操作部９の操作があればステップＳ１１６に進み、ステップＳ１１３で取り込んだ動画データを、動画撮影操作部９の操作に応じて取得される動画データにシームレスに繋げるために、前編の動画データとして記録部１１に記録しておく。そして、ステップＳ１１７のショートムービー記録開始に移行する。一方、ステップＳ１１４で動画撮影操作部９の操作がないまま所定時間が経過すればステップＳ１１７に進む。
【０１１６】
ステップＳ１１７においては、ステップＳ１１３で取り込んだ動画データに基づきショートムービー記録を開始し、ステップＳ１１８に進む。ここに、ステップＳ１１８は、図１１および図１２で示した動画撮影における静止画タイミング記録処理に対応するものである。このようにしてショートムービーファイルを作成した後、ステップＳ１１９に移行して静止画撮影中の残容量表示処理を行い、静止画撮影処理を終了する。
【０１１７】
一方、ステップＳ１１１において「単純静止画撮影モード」設定であった場合は、ステップＳ１２０に進み、静止画圧縮で静止画ファイルを作成する。そして、ステップＳ１２１で、動画撮影中かどうかをチェックし、動画撮影中であれば、静止画圧縮記録と併せて、静止画撮影部１２の操作に基づく静止画タイミング信号を動画ファイル中にも記録するため、ステップＳ１１８に移行する。これに対し、ステップＳ１２１において動画撮影中でなければ直接ステップＳ１１９に進み、静止画撮影中の残容量表示処理を行って静止画撮影処理を終了する。
【０１１８】
図１６は、図５のステップＳ１４で受付可能となった再生操作部１４の操作によってスタートする再生フローである。再生操作が受け付けられると、フローがスタートし、ステップＳ１３１において、編集操作を受付可能とした後、ステップＳ１３２でサムネイル表示処理を行う。ステップＳ１３２では、静止画タイミング信号が記録されている動画ファイルについては、静止画タイミング信号の発生時点の画像が静止画サムネイルとして表示される。また、「動画／手動静止画撮影モード」または「動画／自動静止画撮影モード」で動画が撮影され、動画の撮影開始から撮影終了までの間に、複数の動画ファイルが生成されている場合には、これらの動画ファイルのサムネイルを混合して表示することが可能である。例えば、互いに異なる時間帯に撮影された動画Ａと動画Ｂがあり、動画Ａの撮影に伴って静止画タイミング信号が記録された動画ファイルａ１、ａ２、ａ３、ａ４が発生し、一方で動画Ｂの撮影に伴って静止画タイミング信号が記録された動画ファイルｂ１、ｂ２、ｂ３が発生したとする。このとき、動画発生の由来に拘わらず、動画ファイルａ１、ａ２、ａ３、ａ４、ｂ１、ｂ２、ｂ３のサムネイルを混合して一覧表示することが可能である。また、これらの動画ファイルのうちから特定の動画ファイルを所定の検索条件で抽出し、検索条件に合致する動画ファイルのサムネイルのみを表示することも可能である。
【０１１９】
ステップＳ１３２のサムネイル表示処理によりサムネイルが表示されると、ステップＳ１３３で静止画再生モードかどうかをチェックする。静止画再生モードでなければ動画再生モードであるため、ステップＳ１３４に移行し、画像表示部６に表示されているサムネイルのうちから、静止画圧縮されたデータのサムネイル（静止画専用サムネイル）の表示を停止する。これは、静止画圧縮されたデータのサムネイルは、静止画情報のみに対応しているため、動画再生モードに設定されている状態で、かかるサムネイルが選択されても画像データを再生することができないからである。
【０１２０】
静止画専用サムネイルの表示を停止すると、ステップＳ１３５に移行し、「単純動画再生モード」であるかどうかをチェックする。「単純動画再生モード」設定であることが確定するとステップＳ１３６に移行し、サムネイルを選択する操作を待ち、操作があれば、ステップＳ１３７に移行して、選択されたサムネイルから始まる動画データを、その終端まで連続的に読み出して、再生処理を開始する。この際、再生対象となる動画データが、「動画／手動静止画撮影モード」または「動画／自動静止画撮影モード」で生成された複数の独立した動画ファイルから構成されるデータである場合には、それらの複数の独立した動画ファイルが生成順序の早いものから順に再生され、切れ目のない連続した動画となるように再生される。
【０１２１】
ステップＳ１３８では、動画再生の終了を待ち、終了すればステップＳ１３９に進んで再生操作部１４によって再生終了の操作がなされたかをチェックする。ステップＳ１３９において再生終了の操作が検出されれば再生処理を終了し、検出がなければステップＳ１３２に戻る。
【０１２２】
ステップＳ１３５において「単純動画再生モード」以外であればステップＳ１４０に移行し、サムネイルを選択する操作を待ち、操作があれば、ステップＳ１４１に移行して、選択されたサムネイルに対応する動画ファイルを読出す処理を行う。「単純動画再生モード」以外であったときは、「ショートムービー再生モード」または「ハイライト動画再生モード」のいずれかに設定されているため、ステップＳ１４１では、撮影操作タイミング信号または静止画タイミング信号を基準とした所定時間分の動画データが記録された動画ファイルが読出し対象とされる。
【０１２３】
ステップＳ１４１で読出し終了を待ち、終了すればステップＳ１４２で「ショートムービー再生モード」設定かどうかをチェックする。判定結果がＮＯであれば、「ハイライト動画再生モード」であることが確定するので、ステップＳ１４３に進む。ステップＳ１４３では、動画撮影操作部９の操作によって動画の撮影開始と撮影終了が指定された一連の動画の中で、時間的に次のタイミング信号を含む動画ファイルがあるかどうかをチェックする。該当する動画ファイルがあればステップＳ１４１に戻り、以下、一連の動画中の静止画タイミング信号を含む最後の動画ファイルを読み出すまで、ステップＳ１４１からステップＳ１４４のループを繰り返す。これによって、一連の動画中に存在する静止画タイミング信号が記録された動画ファイルのすべてが抽出される。ステップＳ１４４で、これ以上、静止画タイミング信号が記録された動画ファイルがないことがわかると、それまで抽出した動画ファイルを繋げて再生する処理を開始し、ステップＳ１３８に移行する。
【０１２４】
ステップＳ１４３で、「ショートムービー再生モード」設定であることが確定した場合は、選択されたサムネイルに該当する動画ファイルの読出し完了後、その動画ファイルの再生を行う処理を開始してステップＳ１３８に移行する。
【０１２５】
これらに対し、ステップＳ１３３で静止画再生モード設定が検出された場合は、ステップＳ１４５に移行し、画像表示部６に表示されているサムネイルのうちから、撮影操作タイミング信号または静止画タイミング信号が記録されていない動画ファイルのサムネイル（動画専用サムネイル）の表示を停止する。ステップＳ１４５において、撮影操作タイミング信号または静止画タイミング信号が記録された動画ファイルのサムネイルを表示対象としているのは、静止画圧縮された画像データのサムネイルのみならず、撮影操作タイミング信号または静止画タイミング信号が記録された動画ファイルからも静止画を表示することが可能だからである。
【０１２６】
動画専用サムネイルの表示を停止すると、ステップＳ１４６に移行し、サムネイルを選択する操作を待ち、操作があれば、ステップＳ１４７に移行して、選択されたサムネイルに対応する静止画の読み出しおよび表示の処理を行う。ステップＳ１４７では、選択されたサムネイルが静止画圧縮されたものである場合だけでなく、選択されたサムネイルに対応する静止画を動画ファイルから切り出しで静止画処理し、表示する処理も行う。
【０１２７】
静止画の表示処理が完了すると、ステップＳ１４８に移行し、「音声付静止画再生モード」設定であるかどうかをチェックする。「音声付静止画再生モード」である場合は、ステップＳ１４９に進み、音声データを読み出して静止画とともに再生する。ステップＳ１５０では、音声付静止画の再生において、音声再生が終了したかどうかを見ており、音声の再生が終了すると、ステップＳ１５１に進んで、同時に静止画の再生表示も終了させる。このように、音声付静止画再生モードでは、音声の終了に伴って静止画の表示も自動的に終了させる。
【０１２８】
一方、ステップＳ１４８において、「音声付き静止画再生モード」ではなく、音声無しの「静止画再生モード」であることがチェックされたときは、ステップＳ１５２に移行する。ステップＳ１５２では、静止画の再生が再生操作部１４によって手動で終了操作されたかどうかを見ており、終了操作があれば、ステップＳ１５１に移行し、静止画の再生表示を終了する。
【０１２９】
本発明は、以上の実施例に限定されることなく、特許請求の範囲に記載された発明の範囲内で種々の変更が可能であり、それらも本発明の範囲内に包含されるものであることはいうまでもない。
【０１３０】
例えば、前記実施例においては、カメラの動作モードが「動画／手動静止画撮影モード」または「動画／自動静止画撮影モード」に設定されているときには、静止画タイミング信号のみを記録するように構成されているが、静止画タイミング信号と併せて静止画圧縮データも記録するように構成されてもよい。
【０１３１】
また、前記実施例においては、図１０に示されるように、ズーミング信号が出力されているとき、ならびに、合焦信号又は水平信号が出力されていないときに、静止画タイミング信号の発生を禁止するように構成されているが、静止画タイミング信号の発生を禁止するのに代え、上記の期間でも静止画タイミング信号の発生を許可し、後の静止画タイミング信号の記録処理において、それらの静止画タイミング信号を記録しないように構成してもよい。
【０１３２】
さらに、前記実施例においては、図１１および図１２に示されるように、自動発生による２つの静止画タイミング信号が近接して発生した場合に、先の静止画タイミング信号を有効とし、後の静止画タイミング信号を無効とするようにしているが、後の静止画タイミング信号を有効とし、先の静止画タイミング信号を無効とするようにしてもよい。この場合、ステップＳ９７の判定結果がＹＥＳとなったときに、ステップＳ９５に代えて、ステップＳ９９に移行するように構成すればよい。
【０１３３】
また、前記実施例においては、図１１ないし図１４に示されるように、静止画タイミング信号が記録された動画ファイルを、タイミング信号が記録されていない動画ファイルと区分して作成しておき、ハイライト動画再生の際に、タイミング信号が記録された複数の動画ファイルを抽出して繋ぎ併せて再生するよう構成しているが、一連の動画撮影において静止画タイミング信号が発生しても、動画ファイルを分割して作成せず、単に静止画タイミング信号のみを記録するに留めることも可能である。このような動画記録に基づいてハイライト動画再生を行うには、再生の際に静止画タイミング信号前後の所定時間のタイムスタンプを一対検出し、これらのタイムスタンプの間の動画データを抽出する。そして、複数のタイムスタンプに対応して同様の動画データを抽出し、繋ぎ併せて再生すればよい。
【０１３４】
さらに、前記実施例においては、図９に示されるように、ショートムービーと動画データを繋ぎ合わせた動画データを生成するに際し、ショートムービーの動画データを独立して生成しているが、必ずしも、ショートムービーの動画データを独立して生成する必要はない。この場合、ショートムービーの再生に際しては、ショートムービーと動画データを繋ぎ合わせた動画データから、動画データ中に付加される静止画タイミング信号に基づいて所定時間分の動画データを抽出し、ショートムービー用の動画データとして再生すればよい。
【０１３５】
また、必ずしも、ショートムービーと動画データを繋ぎ合わせた動画データを生成する必要もなく、図１１ないし図１４に示される場合と同様に、ショートムービーと動画データを区別して生成するようにしてよい。このような構成において、ショートムービーの後半時間内に動画撮影が開始された場合には、動画撮影の開始タイミングでショートムービーの撮影を打ち切り、動画撮影の開始タイミングから動画データを生成するようにすればよい。
【図面の簡単な説明】
【０１３６】
【図１】本発明の動画撮影可能なカメラの実施例に関するブロック図である。
【図２】電源・録／再操作部の詳細構造の一例を示す正面図である。
【図３】撮影状況検知部の構成を示すブロック図である。
【図４】撮影モードと再生モードの詳細を示す概念図である。
【図５】図１に示した実施例における制御部の動作を示すフローチャートである。
【図６】図５のステップＳ６における画像キャプチャー開始処理の詳細を示すフローチャートである。
【図７】図５のステップＳ７で受付可能となった動画撮影操作部の操作によってスタートする動画撮影フローである。
【図８】図７のステップＳ３４における動画記録開始処理の内容を示すフローチャートである。
【図９】図７のフローにおけるステップＳ３２からステップＳ３４、および図８の機能を説明するためのタイミングチャートである。
【図１０】図７のステップＳ３６によって開始される静止画タイミング信号の自動発生処理の内容を示すフローチャートである。
【図１１】図７のステップＳ３９における静止画タイミング記録処理の内容を示すフローチャートである。
【図１２】図７のステップＳ３９における静止画タイミング記録処理の内容を示すフローチャートである。
【図１３】静止画タイミング記録処理に際しての動画ファイルの作成状態を示すタイミングチャートである。
【図１４】図１１および図１２のフローにおける機能を説明するためのタイミングチャートである。
【図１５】図５のステップＳ８で受付可能となった静止画撮影操作部の操作によってスタートする静止画撮影フローである。
【図１６】図５のステップＳ１４で受付可能となった再生操作部の操作によってスタートする再生フローである。
【符号の説明】
【０１３７】
１  制御部
２  電源・録／再操作部
３  モード選択操作部
４  撮像部
５  出力部
６  画像表示部
７  バッファ部
８  マイクロフォン
９  動画撮影操作部
１０  圧縮部
１１  記録部
１２  静止画撮影操作部
１３  撮影状況検知部
１４  再生操作部
１５  伸張部
１６  スピーカ
４１  撮影時間検知部
４２  画像検知部
４３  明るさ検知部
４４  音声検知部
４５  視線検知部
４６  発汗検知部
４７  生体信号検知部
４８  パンニング検知部
４９  ズーム操作検知部
５０  自動焦点検知部
５１  姿勢検知部
５２  タイミング信号自動発生部
【図１】
2007215086.tif 000003
【図２】
2007215086.tif 000004
【図３】
2007215086.tif 000005
【図４】
2007215086.tif 000006
【図５】
2007215086.tif 000007
【図６】
2007215086.tif 000008
【図７】
2007215086.tif 000009
【図８】
2007215086.tif 000010
【図９】
2007215086.tif 000011
【図１０】
2007215086.tif 000012
【図１１】
2007215086.tif 000013
【図１２】
2007215086.tif 000014
【図１３】
2007215086.tif 000015
【図１４】
2007215086.tif 000016
【図１５】
2007215086.tif 000017
【図１６】
2007215086.tif 000018